(57)【要約】【課題】ユーザが制御を希望するデバイスのＵＩをデバイス制御装置に表示させることが可能なデバイス制御システム、デバイス、デバイス制御装置、及びデバイス制御方法を提供する。【解決手段】デバイスに、デバイス制御装置を検出する検出手段と、当該デバイス制御装置と接続するための無線通信手段とを設けると共に、デバイス制御装置にデバイスと接続するための無線通信手段を設ける。そして、デバイスは、検出手段でデバイス制御装置を検出すると、当該デバイス装置をデータベースで検索し、接続可能なデバイス制御装置であると判断すると、当該デバイス制御手段に制御を移行する。  【選択図】  図１
2006229848.tif 000002
【特許請求の範囲】
【請求項１】
デバイスと、該デバイスを制御するデバイス制御装置とを具備し、
前記デバイスは、
前記デバイス制御装置を検出する検出手段と、
前記デバイス制御装置と無線接続する接続手段と
を有し、
前記検出手段で前記デバイス制御装置を検出し、前記接続手段を用いて該デバイス制御装置と無線接続すると、制御を該デバイス制御装置に移行する
ことを特徴とするデバイス制御システム。
【請求項２】
前記接続手段は、前記検出手段で前記デバイス制御装置を検出すると、該デバイス制御装置を検索して接続する
ことを特徴とする請求項１記載のデバイス制御システム。
【請求項３】
前記デバイス制御装置は、前記接続手段で接続されると前記デバイスを制御するためのアプリケーションを起動させる
ことを特徴とする請求項１又は２記載のデバイス制御システム。
【請求項４】
前記デバイスは、前記デバイス制御装置に前記制御が移行すると、該デバイスに設けられている操作部の電源を切る
ことを特徴とする請求項３記載のデバイス制御システム。
【請求項５】
前記デバイスは、ジョブ処理中に前記ユーザ端末と接続すると、該ジョブ処理終了後に前記制御を前記デバイス制御装置に移行する
ことを特徴とする請求項１乃至３記載のデバイス制御システム。
【請求項６】
前記デバイスは、前記検出手段で前記デバイス制御装置を検出しなくなると、該デバイス制御装置との接続を切断して前記制御を復帰させる
ことを特徴とする請求項１乃至３記載のデバイス制御システム。
【請求項７】
デバイス制御装置から受信したジョブを処理するデバイスにおいて、
前記デバイス制御装置を検出する検出手段と、
前記デバイス制御装置と無線接続する接続手段と
を具備し、
前記検出手段で前記デバイス制御装置を検出し、前記接続手段を用いて該デバイス制御装置と接続すると、制御を該デバイス制御装置に移行する
ことを特徴とするデバイス。
【請求項８】
前記接続手段は、前記検出手段で前記デバイス制御装置を検出すると、該デバイス制御装置を検索して接続する
ことを特徴とする請求項７記載のデバイス。
【請求項９】
前記デバイス制御装置を載せる専用台をさらに具備し、
前記検出手段は、前記専用台に設置されている
ことを特徴とする請求項７又は８記載のデバイス。
【請求項１０】
ＵＩを表示する操作部をさらに具備し、
前記デバイス制御装置に前記制御が移行すると、前記操作部の電源を切る
ことを特徴とする請求項７又は８記載のデバイス。
【請求項１１】
ジョブ処理中に前記ユーザ端末と接続すると、該ジョブ処理終了後に前記制御を前記デバイス制御装置に移行する
ことを特徴とする請求項７又は８記載のデバイス。
【請求項１２】
前記検出手段で前記デバイス制御装置を検出しなくなると、該デバイス制御装置との接続を切断して前記制御を復帰させる
ことを特徴とする請求項７又は８記載のデバイス。
【請求項１３】
デバイスにジョブを送信して、該ジョブの処理を該デバイスに行わせるデバイス制御装置において、
前記デバイスを制御するアプリケーションを具備し、
前記デバイスの検出手段で検出され、該デバイスから無線接続されると、前記アプリケーションを起動させて該デバイスの制御を移行する
ことを特徴とするデバイス制御装置。
【請求項１４】
デバイス制御装置からジョブを受け付け、デバイスで当該ジョブの処理を行うデバイス制御方法において、
前記デバイスは、
前記デバイス制御装置を検出する検出手段を用いて該デバイス制御装置を検出し、
前記デバイスから該デバイス制御装置を検索して無線接続し、
前記デバイス制御装置に前記デバイスの制御を移行する
ことを特徴とするデバイス制御方法。
【請求項１５】
前記デバイス制御装置は、前記接続手段で接続されると前記デバイスを制御するアプリケーションを起動する
ことを特徴とする請求項１４記載のデバイス制御方法。
【請求項１６】
前記デバイスは、前記デバイス制御装置に前記制御が移行すると、該デバイスに設けられている操作部の電源を切る
ことを特徴とする請求項１４又は１５記載のデバイス制御方法。
【請求項１７】
前記デバイスは、ジョブ処理中に前記ユーザ端末と接続すると、該ジョブ処理終了後に前記制御を前記デバイス制御装置に移行する
ことを特徴とする請求項１４乃至１６記載のデバイス制御方法。
【請求項１８】
前記デバイスは、前記検出手段で前記デバイス制御装置を検出しなくなると、該デバイス制御装置との接続を切断して前記制御を復帰させる
ことを特徴とする請求項１４乃至１６記載のデバイス制御方法。
【発明の詳細な説明】
【技術分野】
【０００１】
本発明は、デバイス制御システム、デバイス、デバイス制御装置、及びデバイス制御方法に関し、特に、デバイスとデバイス制御装置とが無線接続することが可能なデバイス制御システム、デバイス、デバイス制御装置、及びデバイス制御方法に関する。
【背景技術】
【０００２】
ノートＰＣ(personal computer)などのデバイス制御装置とデバイスとを無線接続し、デバイス制御装置にデバイスのＵＩ(user interface)を表示して、デバイスの制御をデバイス制御装置で行なうものがある（例えば、特許文献１参照）。
【特許文献１】特開２００３−０５０７７３号公報
【発明の開示】
【発明が解決しようとする課題】
【０００３】
しかし、複数のデバイスが近接して設けられている場合、無線接続の通信範囲内であれば、何れのデバイスと接続するかが明確ではなかった。
【０００４】
このため、デバイス制御装置側に表示されているＵＩがいずれのものであるかが明確とならず、制御を希望するデバイスとは異なるデバイスのＵＩがデバイス制御装置に表示される場合があった。
【０００５】
そこで本発明では、ユーザが制御を希望するデバイスのＵＩをデバイス制御装置に表示させることが可能なデバイス制御システム、デバイス、デバイス制御装置、及びデバイス制御方法を提供することを目的とする。
【課題を解決するための手段】
【０００６】
本発明におけるデバイス制御システムでは、デバイスと、該デバイスを制御するデバイス制御装置とを具備し、前記デバイスは、前記デバイス制御装置を検出する検出手段と、前記デバイス制御装置と無線接続する接続手段とを有し、前記検出手段で前記デバイス制御装置を検出し、前記接続手段を用いて該デバイス制御装置と無線接続すると、制御を該デバイス制御装置に移行する。
【０００７】
また、前記接続手段は、前記検出手段で前記デバイス制御装置を検出すると、該デバイス制御装置を検索して接続する。
【０００８】
また、前記デバイス制御装置は、前記接続手段で接続されると前記デバイスを制御するためのアプリケーションを起動させる。
【０００９】
前記デバイスは、前記デバイス制御装置に前記制御が移行すると、該デバイスに設けられている操作部の電源を切る。
【００１０】
また、前記デバイスは、ジョブ処理中に前記ユーザ端末と接続すると、該ジョブ処理終了後に前記制御を前記デバイス制御装置に移行する。
【００１１】
また、前記デバイスは、前記検出手段で前記デバイス制御装置を検出しなくなると、該デバイス制御装置との接続を切断して前記制御を復帰させる。
【００１２】
次に、本発明では、デバイス制御装置から受信したジョブを処理するデバイスにおいて、前記デバイス制御装置を検出する検出手段と、前記デバイス制御装置と無線接続する接続手段とを具備し、前記検出手段で前記デバイス制御装置を検出し、前記接続手段を用いて該デバイス制御装置と接続すると、制御を該デバイス制御装置に移行する。
【００１３】
また、前記接続手段は、前記検出手段で前記デバイス制御装置を検出すると、該デバイス制御装置を検索して接続する。
【００１４】
また、前記デバイス制御装置を載せる専用台をさらに具備し、前記検出手段は、前記専用台に設置されている。
【００１５】
また、操作部をさらに具備し、前記デバイス制御装置に前記制御が移行すると、前記操作部の電源を切る。
【００１６】
また、ジョブ処理中に前記ユーザ端末と接続すると、該ジョブ処理終了後に前記制御を前記デバイス制御装置に移行する。
【００１７】
また、前記検出手段で前記デバイス制御装置を検出しなくなると、該デバイス制御装置との接続を切断して前記制御を復帰させる。
【００１８】
そして、本発明では、デバイスにジョブを送信して、該ジョブの処理を該デバイスに行わせるデバイス制御装置において、前記デバイスを制御するアプリケーションを具備し、前記デバイスの検出手段で検出され、該デバイスから無線接続されると、前記アプリケーションを起動させて該デバイスの制御を移行する。
【００１９】
加えて、本発明では、デバイス制御装置からジョブを受け付け、デバイスで当該ジョブの処理を行うデバイス制御方法において、前記デバイスは、前記デバイス制御装置を検出する検出手段を用いて該デバイス制御装置を検出し、前記デバイスから該デバイス制御装置を検索して無線接続し、前記デバイス制御装置に前記デバイスの制御を移行する。
【００２０】
また、前記デバイス制御装置は、前記接続手段で接続されると前記デバイスを制御するアプリケーションを起動する。
【００２１】
また、前記デバイスは、前記デバイス制御装置に前記制御が移行すると、該デバイスに設けられている操作部の電源を切る。
【００２２】
また、前記デバイスは、ジョブ処理中に前記ユーザ端末と接続すると、該ジョブ処理終了後に前記制御を前記デバイス制御装置に移行する。
【００２３】
また、前記デバイスは、前記検出手段で前記デバイス制御装置を検出しなくなると、該デバイス制御装置との接続を切断して前記制御を復帰させる。
【発明の効果】
【００２４】
本発明では、ユーザの希望するデバイスの制御をデバイス制御装置で行なうことが可能となる。
【発明を実施するための最良の形態】
【００２５】
以下、本発明に係るデバイス制御システム、デバイス、デバイス制御装置、及びデバイス制御方法を実施するための最良の形態について、添付図面を参照して詳細に説明する。
【実施例１】
【００２６】
図１は、本実施例に係るデバイス制御システムの構成の一例を示す機能ブロック図である。
【００２７】
同図に示すように、本実施例に係るデバイス制御システムには、コピーやファクシミリなどの機能を有する複合機（デバイス）１０とユーザ端末（デバイス制御装置）２０とが設けられている。そして、複合機には、デバイス制御装置を設置する専用台１１が設けられており、ユーザ端末は、この専用台に載せられて、複合機２０と通信Ｉ／Ｆ(インターフェイス)を介して無線接続している。
【００２８】
そして、図２に示すように、複合機１０には、専用台１１と、制御部１２と、通信部１３と、記憶部１４と、操作部１５と、サービス提供部１６とが設けられている。
【００２９】
専用台１１は、ユーザ端末を設置するための台であり、図３に示すように収納可能であると共に、ユーザ端末を検出するための設置センサ３０が設けられている。
【００３０】
なお、図３では、立てかけて収納する設置台の例を示しているが、引き出して設置する方法など、収納方法は任意であり、また、ユーザに応じて高さの変更が可能なように構成し、ユニバーサル対応とすることもできる。
【００３１】
設置センサ３０は、光学センサや圧力センサなど任意のセンサを用いることが可能であり、専用台にユーザ端末が載せられたことを検出する。
【００３２】
制御部１２は、ＣＰＵ(Central Processing Unit)などの中央演算処理装置からなり、複合機全体の制御を行う。
【００３３】
通信部１３は、図示しない通信Ｉ／Ｆを介してユーザ端末と無線接続する。
【００３４】
記憶部１４は、メモリやハードディスクなどの記憶装置からなり、複合機の制御を行うためのプログラムなどを記憶する。
【００３５】
操作部１５は、タッチパネルなどの操作端末であり、複合機を操作するためのＵＩ(user interface)を表示し、ユーザによる操作を受け付ける。
【００３６】
サービス提供部１６は、画像形成物を印刷出力する画像形成部１７や、原稿をスキャンするスキャン処理部１８、スキャンした情報をファクシミリ送信するＦＡＸ送信部１９などからなり、複合機としてのサービスを提供するための処理を行う。
【００３７】
上記構成を用いて、本実施例における複合機では、専用台にユーザ端末が載せられると、ユーザ端末を検索・接続し、制御をユーザ端末に移行する。また、専用台からユーザ端末が降ろされると、再びＵＩ(操作部)を用いた制御を可能とする。
【００３８】
なお、ユーザ端末の検索は、無線ＬＡＮのＭＡＣアドレス(Media Access Control address)や、ＩＰアドレスなど、データベースに事前に登録されている情報と比較して検索する方法など、公知技術を用いて行うことができる。
【００３９】
また、インターネットなどのネットワーク（図示しない）と接続している場合は、複合機を介して当該ネットワークとユーザ端末とを接続することができる。
【００４０】
ユーザ端末２０は、ノートＰＣ(personal computer)やタブレットＰＣ、ＰＤＡ(Personal Digital Assistance)などの携帯情報端末であり、画像形成送と無線接続するための通信Ｉ／Ｆを具備している。
【００４１】
そして、ユーザ端末では、複合機の専用台に載せられ、当該複合機と接続すると、複合機を制御するためのアプリケーションを起動し、ユーザによりカスタマイズされたＵＩを表示する。
【００４２】
このためユーザ端末では、複合機で原稿をスキャンしてスキャンデータを取得・加工し、当該複合機から印刷出力したり、あるいは、取得・加工したスキャンデータをファクシミリ送信したり、複合機とネットワーク接続しているサーバのデータベースへ登録するなど、通常の複合機制御用ＵＩを用いた操作のみでは実施できない制御を行うことができる。
【００４３】
図４は、複合機の制御をユーザ端末に移行する際の処理の流れを示すフローチャートである。
【００４４】
まず、複合機の設置センサでユーザ端末を検出する（ステップ１００）と、複合機に記憶されているデータベースを用いて複合機側からユーザ端末の検索を行い（ステップ１０１）、データベースにユーザ端末が登録されていないと判断する（ステップ１０１でＮＯ）と、移行処理を終了する。
【００４５】
一方、ステップ１０１において、ユーザ端末がデータベースに登録されていると判断する（ステップ１０１でＹＥＳ）と、複合機側からユーザ端末と接続し（ステップ１０２）、ユーザ端末の複合機制御用のアプリケーションを起動させる（ステップ１０３）。
【００４６】
そして、複合機の制御をユーザ端末に移行し（ステップ１０４）、複合機の制御用ＵＩの電源を切る（ステップ１０５）。
【００４７】
なお、印刷出力などのジョブを処理中にユーザ端末を検出・接続すると、ユーザ端末のディスプレイにジョブの処理状況やジョブの処理中である旨を表示し、処理中のジョブが終了した後に複合機からユーザ端末に制御を移行する。
【００４８】
また、専用台が収納式の場合、専用台が引き出されたことによって、設置センサでユーザ端末を検出したとみなし、ユーザ端末の検索を行ってもよい。
【００４９】
さらに本実施例では、ＵＩの電源を制御移行後に切断しているが、「使用中」などの表示を行うように構成してもよい。
【００５０】
そして、本実施例では、ユーザ端末のアプリケーションを起動させて複合機の制御をユーザ端末に移行するため、ユーザに応じた特別な制御を行うことができる。
【００５１】
したがって、例えば、ユーザ端末に入力した情報に基づいて、保険見積書を出先のコンビニエンスストアに設けられている複合機で印刷したり、複合機の使用料金（印刷料金）を一括して会社に請求することができる。
【００５２】
また、申込書などを複合機でスキャンし、ネットワークを通して管理センタなどに送信すると同時に、ユーザ端末で申込書に記載された情報を保管・管理することができる。
【００５３】
さらに、複合機の給紙トレイに保険証券などの専用用紙がセットされている場合は、特定のユーザ端末のみ、その専用用紙の使用を可能とすることができるため、例えば、ユーザ端末に発行可能な保険証券を表示し、複合機から当該証券を印刷出力すると共に、印刷履歴として、保険証券の印刷出力を管理することもできる。
【００５４】
加えて、本実施例では、設置センサで専用台にユーザ端末が載せられた場合は、当該ユーザ端末の検索等を行うが、ユーザ端末以外のものが載せられた場合は、ユーザ端末の検索を行うものの、その方法は、無線接続でユーザ端末を検索してデータベースと照会するものであり、載せられたもの排除等を行わないため、専用台を原稿置きとして利用することもできる。
【００５５】
なお、検出センサでユーザ端末を検出した場合の当該ユーザ端末の検索は、一定時間で終了するように構成することも可能であり、この構成では、ユーザが希望しない複合機とユーザ端末との接続を防止することができると共に、複合機の消費電力を抑えることができる。
【００５６】
図５は、複合機側からユーザ端末での制御を中断する際の処理の流れを示すフローチャートである。
【００５７】
まず、設置センサがユーザ端末を検出しなくなる（ステップ２００）と、ユーザ端末との接続を切断し（ステップ２０１）、複合機の制御用ＵＩを起動させ（ステップ２０２）、複合機の制御を複合機に移行する（ステップ２０３）。
【００５８】
図６は、ユーザ端末側から当該ユーザ端末での制御を中断する際の処理の流れを示すフローチャートである。
【００５９】
まず、ユーザ端末の電源切断や複合機制御用のアプリケーションをシャットダウンする（ステップ３００）と、複合機において制御用ＵＩを起動し（ステップ３０１）、制御を複合機に移行する（ステップ３０２）。
【００６０】
なお、印刷出力などのジョブを実行中に複合機とユーザ端末との接続が切断された場合は、複合機の制御をユーザ端末から複合機に復帰させるものの、処理中のジョブに関しては継続して実行する。
【００６１】
本発明では、設置センサを用いて複合機（デバイス）からユーザ端末を検出・検索して接続するため、複合機の制御をユーザ端末に自動的に移行することができる。
【００６２】
また、制御が複合機からユーザ端末に移行した時点で、複合機のＵＩをＯＦＦにする（ＵＩの電源を切る）ため、ユーザ端末側に表示されるＵＩと複合機側に表示されるＵＩとがユーザに混同されず、さらに、省電力化を図ることができる。
【００６３】
加えて、設置センサによるユーザ端末の検出とユーザ端末検索との二重チェックで制御をユーザ端末に移行しているため、複数の複合機が近接して設置されている場合でも、希望する複合機の制御をユーザ端末で行うことができる。
【００６４】
さらに、二重チェックによって複合機とユーザ端末との接続を行っているため、専用台からユーザ端末を降ろすだけで複合機の制御を複合機側のＵＩに戻すことができる。
【００６５】
また、専用台の高さ調節を可能とすることにより、ユニバーサル対応とすることができる。
【図面の簡単な説明】
【００６６】
【図１】デバイス制御システムの構成の一例を示す機能ブロック図
【図２】複合機の構成を示す機能ブロック図
【図３】設置台の構成を示す概略概念図
【図４】複合機の制御をユーザ端末に移行する際の処理の流れを示すフローチャート
【図５】複合機側からユーザ端末での制御を中断する際の処理の流れを示すフローチャート
【図６】ユーザ端末側から制御を中断する際の処理の流れを示すフローチャート
【符号の説明】
【００６７】
１０…複合機
１１…専用台
１２…制御部
１３…通信部
１４…記憶部
１５…操作部
１６…サービス提供部
１７…画像形成部
１８…スキャン部
１９…ＦＡＸ送信部
２０…ユーザ端末
３０…設置センサ
【図１】
2006229848.tif 000003
【図２】
2006229848.tif 000004
【図３】
2006229848.tif 000005
【図４】
2006229848.tif 000006
【図５】
2006229848.tif 000007
【図６】
2006229848.tif 000008